【手続補正書】
【提出日】平成19年6月21日(2007.6.21)
【手続補正１】
【補正対象書類名】特許請求の範囲
【補正対象項目名】全文
【補正方法】変更
【補正の内容】
【特許請求の範囲】
【請求項１】
会員登録を行った会員遊技者が属する地域を特定可能な地域情報を、各会員遊技者毎に記憶する地域情報記憶手段と、
前記会員遊技者が遊技場に来店したことを特定するための来店情報、前記会員遊技者が遊技に消費した金額を特定するための消費金額情報、及び前記会員遊技者が遊技を行った時間を特定するための遊技時間情報を受信する受信手段と、
該受信手段により受信した前記来店情報と、前記消費金額情報と、前記遊技時間情報とを、各会員遊技者毎に記憶する遊技関連情報記憶手段と、
該遊技関連情報記憶手段にて各会員遊技者毎に記憶された情報及び前記地域情報記憶手段にて各会員遊技者毎に記憶された地域情報に基づいて、所定期間において会員遊技者が遊技場に来店した来店人数と、該所定期間において会員遊技者が遊技に消費した消費金額と、該所定期間において会員遊技者が遊技を行った遊技時間とを、前記地域情報から特定される各地域毎に集計する集計手段と、
該集計手段により集計した集計情報を出力するための処理を行う出力処理手段と、
を備えることを特徴とする遊技用会員管理装置。
【請求項２】
請求項１に記載した遊技用会員管理装置であって、
前記地域情報記憶手段は、前記会員遊技者が会員登録を行った遊技場を特定可能な遊技場特定情報を、各会員遊技者毎に記憶し、
前記集計手段は、前記地域情報記憶手段にて各会員遊技者毎に記憶された地域情報及び遊技場特定情報、並びに前記遊技関連情報記憶手段にて各会員遊技者毎に記憶された情報に基づいて、前記遊技場特定情報から特定される各遊技場について、前記来店人数と、前記消費金額と、前記遊技時間とを、前記地域情報から特定される各地域毎に集計し、
通信回線を介して遊技用会員管理装置に接続可能な情報端末から、前記遊技場特定情報と、前記集計情報の送信を要求する旨を示す情報と、を含む集計情報要求を受信する集計情報要求受信手段と、
該集計情報要求受信手段により集計情報要求を受信したことに基づいて、前記集計情報のうち、該受信した集計情報要求に含まれる遊技場特定情報から特定される遊技場についての集計情報を、前記集計情報要求の送信元である情報端末に対して送信する集計情報送信手段と、
をさらに備えることを特徴とする遊技用会員管理装置。
【請求項３】
請求項１又は２に記載した遊技用会員管理装置であって、
前記地域情報記憶手段にて各会員遊技者毎に記憶された地域情報に基づいて、各遊技場について前記地域情報から特定される各地域毎に該各地域に属する会員遊技者数を集計する地域別会員数集計手段と、
該地域別会員数集計手段により集計した各地域毎の会員遊技者数の分布状況を、前記遊技場の所在地及び周辺を含む地図上における各地域と対応付けて示すための会員分布地図を作成する会員分布地図作成手段と、をさらに備え、
前記出力処理手段は、該会員分布地図作成手段により作成した会員分布地図を出力するための処理を行うことを特徴とする遊技用会員管理装置。
【請求項４】
請求項１〜３のいずれか１つに記載した遊技用会員管理装置であって、
前記集計手段は、前記来店人数を各地域毎に集計するときに、延べ来店人数及び実来店人数を各地域毎に集計し、
前記地域情報記憶手段にて各会員遊技者毎に記憶された地域情報に基づいて、各遊技場について前記地域情報から特定される各地域毎に該各地域に属する会員遊技者数を集計する地域別会員数集計手段と、
前記地域別会員数集計手段により集計された各地域毎の会員遊技者数と、前記集計手段により集計された各地域毎の実来店人数との比率である来店比率を算出する来店比率算出手段と、をさらに備え、
前記出力処理手段は、該来店比率算出手段により算出した来店比率を出力するための処理を行うことを特徴とする遊技用会員管理装置。
【請求項５】
請求項１〜４のいずれか１つに記載した遊技用会員管理装置であって、
前記地域情報記憶手段にて各会員遊技者毎に記憶された地域情報に基づいて、所定期間において各遊技場で新規に会員登録を行った会員遊技者数を各地域毎に集計する地域別新規会員数集計手段と、
該地域別新規会員数集計手段により集計された新規会員数を所定期間毎に記憶する新規会員数記憶手段と、
該新規会員数記憶手段に所定期間毎に記憶された新規会員数の推移を示す推移情報を作成する新規会員数推移情報作成手段と、
をさらに備え、
前記出力処理手段は、該新規会員数推移情報作成手段により作成された推移情報を出力するための処理を行うことを特徴とする遊技用会員管理装置。  
【請求項６】
請求項１〜５のいずれか１つに記載した遊技用会員管理装置であって、
前記遊技場についての宣伝が行われた宣伝期間を各地域毎に記憶する宣伝期間記憶手段をさらに備え、
前記集計手段は、該宣伝期間記憶手段に各地域毎に記憶された宣伝期間に基づいて、少なくとも該宣伝期間前及び該宣伝期間後において前記来店人数を集計し、
前記出力処理手段は、該集計手段により集計した宣伝期間前の来店人数と宣伝期間後の来店人数の変化を特定可能に出力するための処理を行うことを特徴とする遊技用会員管理装置。
【手続補正２】
【補正対象書類名】明細書
【補正対象項目名】０００７
【補正方法】変更
【補正の内容】
【０００７】
まず請求項１に係る発明は、会員登録を行った会員遊技者が属する地域を特定可能な地域情報（地域ＩＤ）を、各会員遊技者毎に記憶する地域情報記憶手段（ハードディスク６３）と、前記会員遊技者が遊技場に来店したことを特定するための来店情報、前記会員遊技者が遊技に消費した金額を特定するための消費金額情報、及び前記会員遊技者が遊技を行った時間を特定するための遊技時間情報を受信する受信手段（通信部６１）と、該受信手段により受信した前記来店情報と、前記消費金額情報と、前記遊技時間情報とを、各会員遊技者毎に記憶する遊技関連情報記憶手段（ハードディスク６３）と、該遊技関連情報記憶手段にて各会員遊技者毎に記憶された情報及び前記地域情報記憶手段にて各会員遊技者毎に記憶された地域情報に基づいて、所定期間（１ヶ月）において会員遊技者が遊技場に来店した来店人数と、該所定期間において会員遊技者が遊技に消費した消費金額と、該所定期間において会員遊技者が遊技を行った遊技時間とを、前記地域情報から特定される各地域毎に集計する集計手段（制御部６２）と、該集計手段により集計した集計情報を出力するための処理を行う出力処理手段（通信部６１，制御部６２）と、を備えることを特徴とする遊技用会員管理装置（センター管理装置６０）である。
【手続補正３】
【補正対象書類名】明細書
【補正対象項目名】０００８
【補正方法】変更
【補正の内容】
【０００８】
また請求項２に係る発明は、請求項１に記載した遊技用会員管理装置（センター管理装置６０）であって、前記地域情報記憶手段（ハードディスク６３）は、前記会員遊技者が会員登録を行った遊技場を特定可能な遊技場特定情報（遊技場ＩＤ）を、各会員遊技者毎に記憶し、前記集計手段（制御部６２）は、前記地域情報記憶手段にて各会員遊技者毎に記憶された地域情報（地域ＩＤ）及び遊技場特定情報、並びに前記遊技関連情報記憶手段（ハードディスク６３）にて各会員遊技者毎に記憶された情報に基づいて、前記遊技場特定情報から特定される各遊技場について、前記来店人数と、前記消費金額と、前記遊技時間とを、前記地域情報から特定される各地域毎に集計し、通信回線（インターネット４）を介して遊技用会員管理装置に接続可能な情報端末（７０）から、前記遊技場特定情報（ユーザＩＤ，パスワード）と、前記集計情報の送信を要求する旨を示す情報と、を含む集計情報要求を受信する集計情報要求受信手段（通信部６１）と、該集計情報要求受信手段により集計情報要求を受信したことに基づいて、前記集計情報のうち、該受信した集計情報要求に含まれる遊技場特定情報から特定される遊技場についての集計情報を、前記集計情報要求の送信元である情報端末に対して送信する集計情報送信手段（通信部６１）と、をさらに備えることを特徴とする遊技用会員管理装置である。
【手続補正４】
【補正対象書類名】明細書
【補正対象項目名】０００９
【補正方法】変更
【補正の内容】
【０００９】
また請求項３に係る発明は、請求項１又は２に記載した遊技用会員管理装置（センター管理装置６０）であって、前記地域情報記憶手段（ハードディスク６３）にて各会員遊技者毎に記憶された地域情報（地域ＩＤ）に基づいて、各遊技場について前記地域情報から特定される各地域毎に該各地域に属する会員遊技者数を集計する地域別会員数集計手段（制御部６２）と、該地域別会員数集計手段により集計した各地域毎の会員遊技者数の分布状況を、前記遊技場の所在地及び周辺を含む地図上における各地域と対応付けて示すための会員分布地図を作成する会員分布地図作成手段（制御部６２）と、をさらに備え、前記出力処理手段（通信部６１，制御部６２）は、該会員分布地図作成手段により作成した会員分布地図を出力するための処理を行うことを特徴とする遊技用会員管理装置である。
【手続補正５】
【補正対象書類名】明細書
【補正対象項目名】００１０
【補正方法】変更
【補正の内容】
【００１０】
また請求項４に係る発明は、請求項１〜３のいずれか１つに記載した遊技用会員管理装置（センター管理装置６０）であって、前記集計手段（制御部６２）は、前記来店人数を各地域毎に集計するときに、延べ来店人数及び実来店人数を各地域毎に集計し、前記地域情報記憶手段（ハードディスク６３）にて各会員遊技者毎に記憶された地域情報（地域ＩＤ）に基づいて、各遊技場について前記地域情報から特定される各地域毎に該各地域に属する会員遊技者数を集計する地域別会員数集計手段（制御部６２）と、前記地域別会員数集計手段により集計された各地域毎の会員遊技者数と、前記集計手段により集計された各地域毎の実来店人数との比率である来店比率を算出する来店比率算出手段（制御部６２）と、をさらに備え、前記出力処理手段（通信部６１，制御部６２）は、該来店比率算出手段により算出した来店比率を出力するための処理を行うことを特徴とする遊技用会員管理装置である。
【手続補正６】
【補正対象書類名】明細書
【補正対象項目名】００１１
【補正方法】変更
【補正の内容】
【００１１】
また請求項５に係る発明は、請求項１〜４のいずれか１つに記載した遊技用会員管理装置（センター管理装置６０）であって、前記地域情報記憶手段（ハードディスク６３）にて各会員遊技者毎に記憶された地域情報（地域ＩＤ）に基づいて、所定期間（１ヶ月）において各遊技場で新規に会員登録を行った会員遊技者数を各地域毎に集計する地域別新規会員数集計手段（制御部６２）と、該地域別新規会員数集計手段により集計された新規会員数を所定期間毎に記憶する新規会員数記憶手段（ハードディスク６３）と、該新規会員数記憶手段に所定期間毎に記憶された新規会員数の推移を示す推移情報を作成する新規会員数推移情報作成手段（制御部６２）と、をさらに備え、前記出力処理手段（通信部６１，制御部６２）は、該新規会員数推移情報作成手段により作成された推移情報を出力するための処理を行うことを特徴とする遊技用会員管理装置である。